(57)【要約】      （修正有）【課題】指導後情報の入力を受け付けるとともに、集約して表示可能にし、学習計画を支援する学習計画支援システムの提供を課題とする。【解決手段】学習計画支援システム１の編集用端末２は、指導後情報２３の入力を受け付ける指導後情報入力受付手段１１と、学習単元と関連付けて指導後情報２３を記憶する指導後情報記憶手段１２と、受け付けた指導後情報２３を年間指導計画表に反映させ、更新する年間指導計画表更新手段１３と、更新された年間指導計画表に基づいて、学習単元毎に指導後情報２３を集約し、表示する集約表示手段１４とを具備する【選択図】図１
2020135447.tif 000002
【特許請求の範囲】
【請求項１】
横軸または縦軸のいずれか一方に一週間に相当する時間軸を配し、前記横軸または縦軸の残余の他方に一日の授業時間数を配し、かつ、前記横軸及び前記縦軸の交差する交差枠の中に、実施予定の教科及び当該教科における学習単元の内容を入力及び表示可能な週間指導計画表の作成及び編集を行う週間編集機能、及び、前記週間指導計画表と互いに連携可能に形成され、一年間を通じた前記教科毎の学習単元の内容を配した年間指導計画表の作成及び編集を行う年間編集機能を有する計画表編集手段を備えた編集用端末を具備し、前記週間指導計画表及び前記年間指導計画表に基づく学習計画を支援する学習計画支援システムであって、
前記編集用端末は、
前記交差枠の中に配された前記学習単元の学習指導を実施後の指導後情報の入力を受け付ける指導後情報入力受付手段と、
受け付けた前記指導後情報を、前記学習単元と関連付けて記憶する指導後情報記憶手段と、
受け付けた前記指導後情報を、前記週間指導計画表と連携して予め作成された前記年間指導計画表に反映させ、更新する年間指導計画表更新手段と、
更新された前記年間指導計画表に基づいて、前記学習単元毎に前記指導後情報を集約し、表示する集約表示手段と
を具備する学習計画支援システム。
【請求項２】
前記編集用端末は、
前記指導後情報の内容を分類する分類タグを付与するタグ付与手段を更に具備し、
前記指導後情報記憶手段及び／または前記集約表示手段の少なくともいずれか一方は、
付与された前記分類タグに基づいて、前記学習単元と関連付けた記憶、及び／または、前記学習単元毎の集約に係る処理を実施する請求項１に記載の学習計画支援システム。
【請求項３】
前記編集用端末は、
前記指導後情報の入力を受け付けると、前記交差枠の中に表示された文字の文字色及び／または当該文字の背景の背景色の少なくともいずれか一方の表示色を変化させる表示色変化手段を更に具備する請求項１または２に記載の学習計画支援システム。
【請求項４】
前記編集用端末は、
前記週間指導計画表に並設して前記学習単元の進捗状況を示す進捗表を表示する進捗表表示手段を更に具備する請求項１〜３のいずれか一項に記載の学習計画支援システム。
【請求項５】
前記編集用端末は、
前記交差枠の中を更に複数に分割して表示する分割表示手段と、
分割された前記交差枠の中の分割表示幅の比率に応じて、実施予定または実施済の前記教科の授業時数を算出する授業時数算出手段と
を更に具備する請求項１〜４のいずれか一項に記載の学習計画支援システム。
【請求項６】
前記編集用端末は、
前記週間指導計画表に基づいて、一日に相当する簡易指導計画表を作成し、表示する簡易指導計画表表示手段を更に具備し、
前記指導後情報入力受付手段は、
表示された前記簡易指導計画表を介して前記指導後情報の入力を受け付ける請求項１〜５のいずれか一項に記載の学習計画支援システム。
【請求項７】
横軸または縦軸のいずれか一方に一週間に相当する時間軸を配し、前記横軸または縦軸の残余の他方に一日の授業時間数を配し、かつ、前記横軸及び前記縦軸の交差する交差枠の中に、実施予定の教科及び当該教科における学習単元の内容を入力及び表示可能な週間指導計画表の作成及び編集を行う週間編集機能と、前記週間指導計画表と互いに連携可能に形成され、一年間を通じた前記教科毎の学習単元の内容を配した年間指導計画表の作成及び編集を行う年間編集機能とを備える編集用端末を利用し、前記週間指導計画表及び前記年間指導計画表に基づく学習計画を支援するための学習計画支援プログラムであって、
前記交差枠の中に配された前記学習単元の学習指導を実施後の指導後情報の入力を受け付ける指導後情報入力受付手段、受け付けた前記指導後情報を、前記学習単元と関連付けて記憶する指導後情報記憶手段、受け付けた前記指導後情報を、前記週間指導計画表と連携して予め作成された前記年間指導計画表に反映させ、更新する年間指導計画表更新手段、及び更新された前記年間指導計画表に基づいて、前記学習単元毎に前記指導後情報を集約し、表示する集約表示手段として、編集用端末を機能させる学習計画支援プログラム。
【請求項８】
前記指導後情報の内容を分類する分類タグを付与するタグ付与手段、及び付与された前記分類タグに基づいて、前記学習単元と関連付けた記憶、及び／または、前記学習単元毎の集約に係る処理を実施する前記指導後情報記憶手段及び／または前記集約表示手段の少なくともいずれか一方として、前記編集用端末を更に機能させる請求項７に記載の学習計画支援プログラム。
【請求項９】
前記指導後情報の入力を受け付けると、前記交差枠の中に表示された文字の文字色及び／または当該文字の背景の背景色の少なくともいずれか一方の表示色を変化させる表示色変化手段として、前記編集用端末を更に機能させる請求項７または８に記載の学習計画支援プログラム。
【請求項１０】
前記週間指導計画表に並設して前記学習単元の進捗状況を示す進捗表を表示する進捗表表示手段として、前記編集用端末を更に機能させる請求項７〜９のいずれか一項に記載の学習計画支援プログラム。
【請求項１１】
前記交差枠の中を更に複数に分割して表示する分割表示手段、及び分割された前記交差枠の中の分割表示幅の比率に応じて、実施予定または実施済の前記教科の授業時数を算出する授業時数算出手段として、前記編集用端末を更に機能させる請求項７〜１０のいずれか一項に記載の学習計画支援プログラム。
【請求項１２】
前記週間指導計画表に基づいて、一日に相当する簡易指導計画表を作成し、表示する簡易指導計画表表示手段、及び表示された前記簡易指導計画表を介して前記指導後情報の入力を受け付ける前記指導後情報入力受付手段として、前記編集用端末を更に機能させる請求項７〜１１のいずれか一項に記載の学習計画支援プログラム。
【発明の詳細な説明】
【技術分野】
【０００１】
本発明は、学習計画支援システム、及び学習計画支援プログラムに関する。更に詳しくは、一年間を通じた学習指導の計画に係る年間指導計画表と、更に具体的な学習指導の計画に係る週間指導計画表とを連携して管理し、小学校や中学校における学習計画を支援する学習計画支援システム、及び、当該支援システムをコンピュータ等の端末を用いて実行するための学習計画支援プログラムに関する。
【背景技術】
【０００２】
従来、小学校や中学校では、学習指導要領に基づいて規定されたそれぞれの教科の年間授業時間数（「標準時数」）を充足して実施するために、当該年度の開始前に学年毎及び教科毎に年間指導計画を立案し、これを表形式にまとめた年間指導計画表の作成が行われている。
【０００３】
年間指導計画表を作成することで、学期始めの４月から翌年の３月に至る一年間を通じた学習指導の概略を把握し、標準時数を確実に充足した授業を実施することができる。また、当該年間指導計画表に基づいて、更に具体的な学習単元の内容や授業の実施予定等の学習指導の計画を立案した週間指導計画表が作成される。ここで、週間指導計画表は、“週案簿”とも呼ばれることもある。
【０００４】
すなわち、年間指導計画表及び週間指導計画表の二つの指導計画表を作成することで、学習指導の内容の全体像の把握及びより具体的な学習指導の内容の把握が可能となる。なお、年間指導計画表及び週間指導計画表の間に、例えば、月単位の学習指導の計画や学期単位の学習指導の計画等を立案した月間指導計画表或いは学期指導計画表等が適宜作成されることもある。
【０００５】
ここで、年間指導計画表の作成は、１年を通じた学習計画の根幹をなすものであり、例えば、学習指導の経験が豊富な校長、教頭、及び学年主任等が作成担当者となることが多い。一方、週間指導計画表は、上記作成された年間指導計画表を基準とし、実際にそれぞれのクラスで授業を行う教師（クラス担任）等が主な作成担当者となる。
【０００６】
年間指導計画（年間指導計画表）は、それぞれの教科毎に採択された教科書に含まれる内容（学習単元）に基づいて主に作成及び決定される。一般的には教科書に掲載された学習単元の記載順序に従って、そのまま小学校等においても学習指導が行われることが多かった。これらの教科書の掲載順を基本とした上で、作成担当者の長年の経験等に基づいて、各学習単元に割り振る時間数や学習単元の履修順序が決定される。
【０００７】
例えば、特に重要な学習単元については、通常よりも多くの授業時間数を与えたり、学習効果等を高めるために教科書の記載順序とは異なる履修順序となるように学習単元の履修時期を変更したりすることがある。更に、小学校や中学校では、通常の授業以外に、運動会や修学旅行、或いは遠足といった各種のイベント（学校行事）が実施されることが多く、その実施時期及び学校行事の準備のために、通常の授業時間割に代えて、変則的な時間割で授業がされることがあり、これらのイベントを考慮して年間指導計画表が作成されることがあった。
【０００８】
一方、週間指導計画表は、各教科の学習単元の詳細な実施予定を計画したものであり、例えば、月曜日から金曜日までの間で実施される行事の予定、朝の時間（朝学習）の内容、１時限から６時限までに実施する教科、及び当該教科の内容（学習単元）について表形式でまとめたものである。クラス担任等の実際に授業を行う教師は、該当する週に実施する予定の教科や学習単元の内容を確認したり、或いは、学習指導を行った後の実施済の学習単元等をチェックし、進捗状況の確認をしたりすることに主に週間指導計画表を用いている。
【０００９】
なお、週間指導計画表には、進捗状況のチェックとともに、実際に授業を行った際に気になった点及び授業内容の詳細等の記録を記入するための記入欄（メモ欄）が設けられていることもある。これにより、実際の授業を通じて気になった点等をその都度記入し、授業の“振り返りの記録”として残すことができるようになっている。そして、この振り返りの記録に基づいて、次の授業等の学習指導の内容の改善を図ったり、次年度に同じ学習単元をする際の参考としたりすることができる。
【００１０】
また、次年度以降に年間指導計画表や週間指導計画表を立案及び作成する際の有効な情報として使用することができる。このように、週間指導計画表は、実際に授業を行う教師にとって、ほぼ毎日その内容を確認したり、チェックしたり、或いは記録等を記入したりするものであり、学習指導を行う上で不可欠なものである。
【００１１】
上記の通り、年間指導計画表は、予め定められた学校行事等のスケジュールを考慮して作成されたものであり、学期始めに作成した後は当該年間指導計画表を直接変更及び更新する機会はほとんどない。すなわち、年度途中に年間指導計画表を能動的に更新する可能性は低い。一方、週間指導計画表は、例えば、台風等の自然災害やインフルエンザ等による学級閉鎖等の突発的な事象に対応するため、或いは教科間の進捗状況等を揃えるためにその都度変更や更新することが行われる可能性があった。
【００１２】
上述したように、週間指導計画表の場合、授業後の振り返り等の記入がなされるものであり、週間指導計画表を作成した後も適宜情報やデータが追加される可能性があった。そのため、週間指導計画表の更新の影響により、年間指導計画表を更新しなければならない可能性があり、これらの調整作業が煩雑となることがあった。特に、当該週で実施される授業時数の変更により、年間指導計画表に規定した進捗予定がずれる可能性があった。
【００１３】
そこで、年間指導計画表及び週間指導計画表の立案及び作成を容易にし、それぞれの作成担当者の作業負担を軽減するとともに、週間指導計画表の更新に伴う標準時数の過不足等の整合性のチェックを確実に行うための年間指導計画の作成及び立案のための指導計画管理装置（特許文献１参照）や授業案立案支援システム及び授業案立案プログラム（特許文献２参照）等が既に提案されている。これらの装置やシステム等を利用することで、これまでは主に手作業で行っていた年間指導計画表の作成作業をある程度まで自動化することができ、特に授業時数等の整合性チェックに要する作業時間を短縮化する効果を奏することができる。
【００１４】
例えば、特許文献１の指導計画管理装置の場合、「１時間ごと（１時間単位）に指導すべき内容」、「月・学期」、「学習する単元ごとの内容事項」、「１時間ごとの指導する内容に合致したドリルのページ」、「授業時数に対する指導計画の合計時数の過不足と達成率」、「ワークテストの実施時数」等の複数の情報を記憶する“年間指導計画情報記憶部”を備え、更に「１週間単位の指導計画案」、「１コマの授業内に複数の教科の指導計画を配置する」、「授業時数の遅れ」、「授業内容（進度）の遅れ」、「ドリルの実施の遅れ」、「授業内容に合ったドリルの種類」等を記憶する１週間単位の指導計画案情報記憶部とを備えて構成されている。このように、各種情報を表示部に表示することで、教師は１年間を見通した有効かつ効率的な年間指導計画の作成を容易にすることができる。更に同時に作成される１週間単位の指導計画案情報（週間指導計画）の内容に基づいて、年間指導計画に対する授業時数（標準時数）の遅れ等の進捗を容易に把握することができ、日々に学習指導に反映させ、遅れを取り戻すことができる。
【００１５】
一方、特許文献２の授業案立案支援システム等の場合、予めデータベースに格納されている各教科についての統一的な到達目標データ等を読み込み、週案データ及び日案データの作成を容易に行うことができる。また、学習指導の進捗に合わせて週案データまたは日案データの一方を書き換えることで、他の授業案や学習指導計画に連動して情報の更新をすることができる。その結果、学習指導の進捗状況に合わせた各データの作成、修正を容易にすることができ、これらの作成に係る作業負担を軽減することができる。また、日々の学習指導において、到達目標、評価規準、年間の学習指導計画等に基づいた、授業内容や行動内容等の必要な情報を確認することができ、教師による授業運営をスムーズに行うことができる。
【００１６】
ここで、上記のような「指導計画管理装置」或いは「授業案立案支援システム」等は、単一機能のソフトウェアとして提供されている他に、例えば、児童の成績や得点を管理したり、通知表を作成したりする機能を有する成績管理システム及び成績管理プログラムの一機能として提供されることがあった。また、上記に示したように、年間指導計画表及び週間指導計画表は、互いに密接した関係を有するものであり、週間指導計画表において新たに入力または更新されたデータを、年間指導計画表に連携して記憶することができる。これにより、週間指導計画表の一部について変更した内容がほぼリアルタイムで年間指導計画表に反映させることができるため、それぞれの計画表毎に入力を繰り返す必要がなく、週間指導計画表を適宜修正しながら運用することで，次年度の年間指導計画を実態に即したものとして同時に作成できる。
【先行技術文献】
【特許文献】
【００１７】
【特許文献１】特開２０１６−１９２０５２号公報
【特許文献２】特開２０１６−０４８５１９号公報
【発明の概要】
【発明が解決しようとする課題】
【００１８】
しかしながら、上記のような指導計画管理装置等を使用した学習計画の支援において、下記に掲げる不具合を生じる可能性があった。すなわち、それぞれ作成された年間指導計画表及び週間指導計画表との間でそれぞれのデータの相互の連携等は行われるものの、教科毎の標準時数の充足等のチェックに限定されることが多かった。そのため、週間指導計画表に記入された授業の振り返り等の情報を集約し、管理することはほとんどなかった。
【００１９】
したがって、週間指導計画表に記入された授業に関する情報を後日改めて確認しようとした場合であっても、単に日付を遡ってその内容を探し出すなどの手間がかかることがあった。そのため、それぞれの学習単元毎に集約してメモの内容をまとめて閲覧表示することができなかった。その結果、次年度の授業内容を改善したり、当該メモを参考に年間指導計画の立案を検討したりする場合であっても、個々の内容を確認しながら行う必要があり、閲覧者や年間指導計画の作成担当者に過大な負担を課すことがあった。
【００２０】
加えて、当該メモの内容は、それぞれの授業の振り返り等であり、学習単元やその内容に基づいて分類されていることがなく、それぞれのメモや学習単元間のつながりや関連性が明らかになっていないことが多かった。そのため、週間指導計画表に記載されたメモの内容を有効に活用することができなかった。
【００２１】
加えて、従来の週間指導計画表の場合、学習単元の進捗状況を数字等で表したものが多く、教師が直感的に理解することができない場合があった。その結果、学習単元がどの程度まで進んだかを誤解して捉え、実施予定の学習単元の内容を週間指導計画表に加え忘れたり、進捗の遅れに気付かず次週以降のスケジュールに影響を及したりする可能性があった。そのため、一目で学習指導の進捗度合いが理解できるような週間指導計画表が求められていた。
【００２２】
更に、週間指導計画表の１時限分（１授業単位、或いは１コマ）には、一般に一つの教科を実施するように計画がなされている。しかしながら、当該教科の進捗状況や、複数の教科の学習単元の関連性等を考慮し、１時限において二つ或いは三つの教科の学習指導を行うケースも想定される。このような場合、従来の週間指導計画表では、対応することができず、或いは対応可能であってもそれぞれの授業時数を正しく算出することができない場合があった。そのため、年間指導計画表における各教科の授業時数に過不足が生じたりする可能性があった。
【００２３】
更に、上記した通り、週間指導計画表（週案簿）は、学習単元の実施予定の確認や実施済の授業や学習単元のチェック、及び授業内容の振り返りのためのメモ等の記入を行うために、教師がほぼ毎日にわたって利用するものであった。しかしながら、これらの週間指導計画表の作成及び編集に係る機能は、得点や成績集計、通知表作成、及び時間割作成等の各種機能を備えた既存の教材情報総合管理ソフトウェアの一機能として提供されていることが多く、週間指導計画表の内容を確認及び表示するために、当該教材情報総合管理ソフトウェアを起動する必要があった。その結果、週間指導計画表の表示までに複数の操作が必要となり、週間指導計画表の利用に煩わしさを感じることがあった。
【００２４】
そこで、本発明は、上記実情に鑑みてなされたものであり、年間指導計画表及び週間指導計画表の間でデータを連携させるとともに、週間指導計画表に入力された授業の振り返り等にかかる指導後情報をそれぞれ学習単元毎等により集約して閲覧表示可能に管理するとともに、日々利用する教師等にとって進捗状況等を確認しやすく、或いは利用し易い週間指導計画表等を作成及び管理可能な学習計画支援システム及び学習計画支援プログラムを提供することを課題とするものである。
【課題を解決するための手段】
【００２５】
本発明によれば、下記に掲げる学習計画支援システム、及び学習計画支援プログラムが提供される。
【００２６】
［１］  横軸または縦軸のいずれか一方に一週間に相当する時間軸を配し、前記横軸または縦軸の残余の他方に一日の授業時間数を配し、かつ、前記横軸及び前記縦軸の交差する交差枠の中に、実施予定の教科及び当該教科における学習単元の内容を入力及び表示可能な週間指導計画表の作成及び編集を行う週間編集機能、及び、前記週間指導計画表と互いに連携可能に形成され、一年間を通じた前記教科毎の学習単元の内容を配した年間指導計画表の作成及び編集を行う年間編集機能を有する計画表編集手段を備えた編集用端末を具備し、前記週間指導計画表及び前記年間指導計画表に基づく学習計画を支援する学習計画支援システムであって、前記編集用端末は、前記交差枠の中に配された前記学習単元の学習指導を実施後の指導後情報の入力を受け付ける指導後情報入力受付手段と、受け付けた前記指導後情報を、前記学習単元と関連付けて記憶する指導後情報記憶手段と、受け付けた前記指導後情報を、前記週間指導計画表と連携して予め作成された前記年間指導計画表に反映させ、更新する年間指導計画表更新手段と、更新された前記年間指導計画表に基づいて、前記学習単元毎に前記指導後情報を集約し、表示する集約表示手段とを具備する学習計画支援システム。
【００２７】
［２］  前記編集用端末は、前記指導後情報の内容を分類する分類タグを付与するタグ付与手段を更に具備し、前記指導後情報記憶手段及び／または前記集約表示手段の少なくともいずれか一方は、付与された前記分類タグに基づいて、前記学習単元と関連付けた記憶、及び／または、前記学習単元毎の集約に係る処理を実施する前記［１］に記載の学習計画支援システム。
【００２８】
［３］  前記編集用端末は、前記指導後情報の入力を受け付けると、前記交差枠の中に表示された文字の文字色及び／または当該文字の背景の背景色の少なくともいずれか一方の表示色を変化させる表示色変化手段を更に具備する前記［１］または［２］に記載の学習計画支援システム。
【００２９】
［４］  前記編集用端末は、前記週間指導計画表に並設して前記学習単元の進捗状況を示す進捗表を表示する進捗表表示手段を更に具備する前記［１］〜［３］のいずれかに記載の学習計画支援システム。
【００３０】
［５］  前記編集用端末は、前記交差枠の中を更に複数に分割して表示する分割表示手段と、分割された前記交差枠の中の分割表示幅の比率に応じて、実施予定または実施済の前記教科の授業時数を算出する授業時数算出手段とを更に具備する前記［１］〜［４］のいずれかに記載の学習計画支援システム。
【００３１】
［６］  前記編集用端末は、前記週間指導計画表に基づいて、一日に相当する簡易指導計画表を作成し、表示する簡易指導計画表表示手段を更に具備し、前記指導後情報入力受付手段は、表示された前記簡易指導計画表を介して前記指導後情報の入力を受け付ける前記［１］〜［５］のいずれかに記載の学習計画支援システム。
【００３２】
［７］  横軸または縦軸のいずれか一方に一週間に相当する時間軸を配し、前記横軸または縦軸の残余の他方に一日の授業時間数を配し、かつ、前記横軸及び前記縦軸の交差する交差枠の中に、実施予定の教科及び当該教科における学習単元の内容を入力及び表示可能な週間指導計画表の作成及び編集を行う週間編集機能と、前記週間指導計画表と互いに連携可能に形成され、一年間を通じた前記教科毎の学習単元の内容を配した年間指導計画表の作成及び編集を行う年間編集機能とを備える編集用端末を利用し、前記週間指導計画表及び前記年間指導計画表に基づく学習計画を支援するための学習計画支援プログラムであって、前記交差枠の中に配された前記学習単元の学習指導を実施後の指導後情報の入力を受け付ける指導後情報入力受付手段、受け付けた前記指導後情報を、前記学習単元と関連付けて記憶する指導後情報記憶手段、受け付けた前記指導後情報を、前記週間指導計画表と連携して予め作成された前記年間指導計画表に反映させ、更新する年間指導計画表更新手段、及び更新された前記年間指導計画表に基づいて、前記学習単元毎に前記指導後情報を集約し、表示する集約表示手段として、編集用端末を機能させる学習計画支援プログラム。
【００３３】
［８］  前記指導後情報の内容を分類する分類タグを付与するタグ付与手段、及び付与された前記分類タグに基づいて、前記学習単元と関連付けた記憶、及び／または、前記学習単元毎の集約に係る処理を実施する前記指導後情報記憶手段及び／または前記集約表示手段の少なくともいずれか一方として、前記編集用端末を更に機能させる前記［７］に記載の学習計画支援プログラム。
【００３４】
［９］前記指導後情報の入力を受け付けると、前記交差枠の中に表示された文字の文字色及び／または当該文字の背景の背景色の少なくともいずれか一方の表示色を変化させる表示色変化手段として、前記編集用端末を更に機能させる前記［７］または［８］に記載の学習計画支援プログラム。
【００３５】
［１０］  前記週間指導計画表に並設して前記学習単元の進捗状況を示す進捗表を表示する進捗表表示手段として、前記編集用端末を更に機能させる前記［７］〜［９］のいずれかに記載の学習計画支援プログラム。
【００３６】
［１１］  前記交差枠の中を更に複数に分割して表示する分割表示手段、及び分割された前記交差枠の中の分割表示幅の比率に応じて、実施予定または実施済の前記教科の授業時数を算出する授業時数算出手段として、前記編集用端末を更に機能させる前記［７］〜［１０］のいずれかに記載の学習計画支援プログラム。
【００３７】
［１２］  前記週間指導計画表に基づいて、一日に相当する簡易指導計画表を作成し、表示する簡易指導計画表表示手段、及び表示された前記簡易指導計画表を介して前記指導後情報の入力を受け付ける前記指導後情報入力受付手段として、前記編集用端末を更に機能させる前記［７］〜［１１］のいずれかに記載の学習計画支援プログラム。
【発明の効果】
【００３８】
本発明の学習計画支援システム、及び学習計画支援プログラムによれば、週間指導計画表に記憶された授業の振り返り等に係る指導後情報が年間指導計画表に反映され、年間指導計画表が更新されるとともに、学習単元毎等に集約されて当該指導後情報を表示することができる。これにより、次年度の年間指導計画表を作成する際の有益な情報とすることができ、また教師間の引き継ぎがあった場合でも当該引き継ぎ作業を容易にすることができる。
【００３９】
更に、週間指導計画表とともに表示される進捗表によって、それぞれの教科や学習単元の進捗状況を把握することができ、実施予定の忘れや遅れ等を速やかに把握することができる。特に、実施済或いは実施予定の教科や学習単元を示す文字等の表示色を変化させることで、進捗状況を視覚情報に基づいて速やかに理解することができる。更に、簡易指導計画表を利用することで、指導後情報の入力等の操作性が向上し、支援システムの使用頻度を向上させ、有効な活用をすることができる。
【図面の簡単な説明】
【００４０】
【図１】本実施形態の支援システムの概略構成、及び編集用端末の機能的構成を示すブロック図である。
【図２】週間指導計画表及びこれに並設された進捗表の画面表示の一例を示す説明図である。
【図３】年間指導計画表の画面表示の一例を示す説明図である。
【図４】週間指導計画表における指導後情報入力のための入力ウインドウの画面表示の一例を示す説明図である。
【図５】年間指導計画表の学習単元毎の指導後情報を集約して表示する集約表示ウインドウの画面表示の一例を示す説明図である。
【図６】簡易指導計画表の画面表示の一例を示す説明図である。
【発明を実施するための形態】
【００４１】
以下、図面を参照しつつ、本発明の一実施形態の学習計画支援システム、及び、学習計画支援プログラムについて説明する。なお、本発明の支援システム及び支援プログラムは、以下の実施の形態に限定されるものではなく、本発明の要旨を逸脱しない範囲において、当業者の通常の知識に基づいて以下の実施の形態に対して適宜変更、修正、及び改良等を加え得るものであっても構わない。
【００４２】
本発明の一実施形態の学習計画支援システム１（以下、単に「支援システム１」と称す。）は、図１〜図６に示すように、本発明の学習計画支援プログラムＰＧ（以下、単に「支援プログラムＰＧ」と称す。）がインストールされ、当該支援プログラムＰＧを起動することで、週間指導計画表３の作成及び更新に係る編集機能等を始めとする各種機能を発揮可能な編集用端末２を具備して主に構成されている。
【００４３】
ここで、図１は、本実施形態の支援システム１の概略構成、及び編集用端末２の機能的構成を示すブロック図であり、図２は、週間指導計画表３及びこれに並設された進捗表４の画面表示の一例を示す説明図であり、図３は、年間指導計画表５の画面表示の一例を示す説明図であり、図４は、週間指導計画表３における指導後情報２３の入力のための入力ウインドウ６の画面表示の一例を示す説明図であり、図５は、年間指導計画表５の学習単元Ｌ毎の指導後情報２３を集約して表示する集約表示ウインドウ７の画面表示の一例を示す説明図であり、図６は、簡易指導計画表８の画面表示の一例を示す説明図である。
【００４４】
編集用端末２は、その機能的構成として、計画表編集手段１０、指導後情報入力受付手段１１、指導後情報記憶手段１２、年間指導計画表更新手段１３、及び集約表示手段１４を主に具備して構成されている。更に、編集用端末２は、その他の機能的構成として、タグ付与手段１５、表示色変化手段１６、進捗表表示手段１７、分割表示手段１８、授業時数算出手段１９、及び簡易指導計画表表示手段２０をそれぞれ具備している。これにより、個々の手段に基づく種々の機能を発揮することができる。
【００４５】
指導後情報記憶手段１２は、ハードディスクドライブやソリッドステートドライブ等の固定記憶手段によって構成された端末記憶手段２１の一機能として構成されている。かかる端末記憶手段２１には、教材発行会社等によって頒布されたテストの得点集計機能、成績管理機能、テスト得点集計表作成機能、及び時間割作成機能等の学習指導の現場において有用な複数の教育情報総合管理ソフトウェアＭＰＧがインストールされており、本実施形態の学習指導の計画を支援する支援プログラムＰＧによる計画支援機能は、当該教育情報総合管理ソフトウェアの一機能として編集用端末２に搭載されるものである。
【００４６】
教育情報総合管理ソフトウェアＭＰＧを起動させた状態で所定の操作（クリック操作等）を行うことにより、本発明の支援プログラムＰＧを起動及び実行することができ、編集用端末２に支援システム１としての機能を発揮させることができる。教育情報総合管理ソフトウェアＭＰＧは、従来から周知なものであり、特に詳細な説明は省略する。更に、端末記憶手段２１は、上記の指導後情報２３の他に種々のデータ等を格納し、記憶することができる（詳細は後述する）。
【００４７】
一方、集約表示手段１４、進捗表表示手段１７、分割表示手段１８、及び簡易指導計画表表示手段２０は、周知の表示機器と接続され、各種情報を画面表示することができる。なお、本実施形態の支援システム１において、編集用端末２と接続される表示機器として液晶ディスプレイＬＣＤが用いられている（図１参照）。
【００４８】
なお、編集用端末２は、図１に示すような、所謂「スタンドアローン型」の端末に限定されるものではなく、例えば、インターネットまたは専用通信回線からなる通信ネットワークに接続され、当該通信ネットワークを介して種々の情報を相互に送受信可能とするものであっても構わない。これにより、教育情報総合管理ソフトウェアや支援プログラムＰＧを常に最新の状態に更新することが容易となる。更に、上記の端末記憶手段２１自体を通信ネットワーク上に構築されたクラウドサーバーに設けたものであっても構わない。
【００４９】
ここで、本実施形態の支援システム１において使用する編集用端末２は、各小中学校等において教職員が日常的に使用するデスクトップ型或いはノート側のパーソナルコンピュータを用いるものを主に想定している。しかしながら、編集用端末２は、これに限定されるものではなく、例えば、タブレット型端末やスマートホン等を使用するものであっても構わない。なお、パーソナルコンピュータ、タブレット型端末、及びスマートホン等の情報通信機器に係る構成については既に周知のものであるため、ここでは詳細な説明は省略する。また、各種操作及び情報等の入力を行うための周知の操作入力手段（キーボード、マウス、或いはタッチパネル等）が編集用端末２と接続されている。なお、本実施形態の支援システム１は、これらの操作入力手段の総称として操作入力機器ＩＤが編集用端末２に接続されたものを示している（図１参照）。
【００５０】
以下に、編集用端末２に係る具体的な機能的構成について詳述する。編集用端末２の計画表編集手段１０は、週間指導計画表３を作成及び編集等するための週間編集機能ＷＥ及び年間指導計画表５を作成及び編集等するための年間編集機能ＹＥを備えている。これらの週間編集機能ＷＥ及び年間編集機能ＹＥにより、下記に示す週間指導計画表３及び年間指導計画表５を作成等することができる。
【００５１】
なお、週間編集機能ＷＥによる週間指導計画表３及び年間編集機能ＹＥによる年間指導計画表５の基本的な作成及び編集に係る処理は、従来から周知のため、ここでは詳細な説明は省略する。また、計画表編集手段１０の各編集機能ＷＥ，ＹＥは、後述する表示色変化手段１６、分割表示手段１８、及び授業時数算出手段１９等の各処理を行う際にも機能する。
【００５２】
週間指導計画表３は、例えば、図２に示されるように、一方の横軸（または縦軸）に月曜日から金曜日に至る一週間に相当する週間時間軸ＴＬ１（本発明における時間軸に相当）を左から右（または上から下）に沿って配し、残余の他方の縦軸（または横軸）に行事や朝の時間（朝学習）等を含む一日の授業時間数に係る授業時間軸Ｃ１を上から下（または左から右）に沿って配することで表形式として構成したものである。
【００５３】
そして、週間時間軸ＴＬ１及び授業時間軸Ｃ１がそれぞれ交差する交差枠２２の中に、実施予定の教科ＳＢ及び学習単元Ｌの内容を入力する編集処理がなされ、これを表示可能なものである。それぞれの交差枠２２に対して教科ＳＢ等を入力する編集処理が行われることで、週間指導計画表３の作成が完了する。なお、教科ＳＢ等の入力に係る編集処理がなされていない交差枠２２は空欄として表示される。  
【００５４】
ここで、交差枠２２の中の表示について更に具体的に説明すると、当該交差枠２２の中は、上下に三段に区画され、上段部２２ａに教科ＳＢの入力及び表示が可能であり、中段部２２ｂに学習単元Ｌの入力及び表示が可能であり、下段部２２ｃに具体的な学習内容ＬＣの入力及び表示が可能なものである。これらの入力内容は前述した週間編集機能ＷＥを備える計画表編集手段１０によって適宜変更することができる。また、交差枠２２に表示される教科ＳＢ等の項目及び表示順は図２等に示したものに限定されるものではない。
【００５５】
更に、交差枠２２の下段部２２ｃの右下には、授業に関するメモや振り返り等に係る指導後情報２３を入力するための入力用アイコン２４が配され、表示されている。なお、入力用アイコン２４の詳細については後述するため、ここでは説明は省略する。更に、週間指導計画表３の最下方位置には、該当する週（図２において、１月２１日〜１月２５日）における指導内容等の全体のまとめを入力し、表示するための週間まとめ欄２５が設けられている。なお、図２において示した週間指導計画表３の構成及びレイアウト等は一例であり、これに限定されるものではない。
【００５６】
一方、年間指導計画表５とは、例えば、図３に示されるように、一方の横軸（または縦軸）に４月から翌年の３月に至る一年間（年度）に相当する年間時間軸ＴＬ２（本発明における時間軸に相当）を左から右（または上から下）に沿って配し、残余の他方の縦軸（または横軸）に国語や算数といった複数の教科ＳＢを上から下（または左から右）に沿ってそれぞれ配することで表形式として構成したものである。
【００５７】
そして、年間時間軸ＴＬ２及び教科ＳＢの交差する表示領域２６に特定の幅を有して学習単元Ｌを入力及び表示等することができる。年間指導計画表５の場合、教科ＳＢ毎に配される複数の学習単元Ｌは、基本的に年度初めの４月から左詰め（または上詰め）で配置される。年間指導計画表５の作成及び編集等は、前述した年間編集機能ＹＥを備える計画表編集手段１０によって適宜入力及び変更することができる。これらの週間指導計画表３に係る週間指導計画表データ２７及び年間指導計画表５に係る年間指導計画表データ２８は、予め作成が行われ、編集用端末２の端末記憶手段２１に格納されている。
【００５８】
編集用端末２の各機能的構成について更に具体的に説明すると、指導後情報入力受付手段１１は、作成済みの週間指導計画表３に基づいて学習指導を実施し、交差枠２２に相当する実施済の教科ＳＢ及び学習単元Ｌにおいて気になった点や授業の内容等に係る指導後情報２３の入力（週間指導計画表３に対する記入）を行うためのものである。すなわち、指導後情報２３は従来における授業内容の振り返りやメモ等に相当するものであり、本実施形態の支援システム１は編集用端末２において作成済みの週間指導計画表３に対して事後的に指導後情報２３の入力を受け付ける。
【００５９】
指導後情報２３の入力の受け付けの詳細について具体的に説明すると、図２に画面表示した週間指導計画表３の下段２２ｃの右下に配置された入力用アイコン２４をクリックする操作を行うことで（図４上部参照）、入力ウインドウ６（図４下部参照）を画面表示させることができる。なお、図４において、一つの交差枠２２の中に二つの教科ＳＢ（算数及び社会）を分割表示したものを示したが、これについての詳細は後述する。
【００６０】
表示された入力ウインドウ６には、週間指導計画表３の週間時間軸ＴＬ１及び授業時間軸Ｃ１の交差する箇所の交差枠２２に対応する“○○月××日  △時限目”が表示され、指導後情報２３の入力を行う日時及び時限が特定されている。更に、週間指導計画表３に基づいて、教科ＳＢ及び学習単元Ｌが枠内上部に表示されている。更に、枠内下部に指導後情報２３を入力するための指導後情報入力欄２９が設けられている。
【００６１】
これにより、学習指導の実施後に、週間指導計画表３に対して授業の振り返り等の内容に係る指導後情報２３を入力することができる。なお、入力された指導後情報２３の内容は、端末記憶手段２１の一機能として構成された指導後情報記憶手段１２に週間指導計画表データ２７と関連付けて記憶される。このように、本実施形態の支援システム１は、学習指導の実施後の記録を指導後情報２３として、電子データの形式で記憶及び保存することができる。
【００６２】
一方、年間指導計画表更新手段１３は、週間指導計画表３の入力ウインドウ６から入力された指導後情報２３の内容を、年間指導計画表５（年間指導計画表データ２８）に反映させて更新するものであり、集約表示手段１４は更新された年間指導計画表５に係る年間指導計画表データ２８からそれぞれの学習単元Ｌや複数の学習単元Ｌにおける関連性に基づいて指導後情報２３を抽出及び集約し、閲覧可能の表示するものである。学習単元Ｌ毎に集約された指導後情報２３は、例えば、図５に示すような集約表示ウインドウ７等の表示形式で閲覧可能となる。これにより、一つの学習単元Ｌに対して複数の指導後情報２３が入力された場合、当該複数の指導後情報２３をまとめて表示することができる。
【００６３】
すなわち、本実施形態の支援システム１によれば、週間指導計画表３に授業の振り返り等に係る指導後情報２３を入力することができ、電子データの形式で入力された当該内容を年間指導計画表５に反映することができる。これにより、年間指導計画表５で計画された教科毎の学習単元の進捗に変更があったときなどに、その内容が反映する。その結果、一年間を通じた進捗を確認等がすることができる。
【００６４】
更に、年間指導計画表５に反映した指導後情報２３を学習単元Ｌ毎や関連性のある学習単元Ｌと連携し、抽出及び集約し、集約表示ウインドウ７等によってまとめて表示することができる。その結果、授業内容の振り返りが容易となり、学習指導のために有益に利用することができる。更に、一つの学習単元Ｌについて集約し、更に経時的に並べて表示することも可能となるため、次年度の年間指導計画表５を作成する際の参考等とすることができる。
【００６５】
すなわち、学習単元Ｌにおいてポイントとなる箇所については、通常よりも多くの授業時数を割くような実施予定等を立案することができる。これにより、週間指導計画表３及び年間指導計画表５を連携可能な状態にして管理することで、優れた学習計画に基づく学習単元Ｌの指導が可能となる。すなわち、本実施形態の支援システム１によって、有効な学習計画の支援を行うことができる。
【００６６】
更に、編集用端末２は、その他の機能的構成として、入力される指導後情報２３の内容を分類する分類タグ３０を付与するタグ付与手段１５を備えている。ここで、分類タグ３０の付与は、例えば、図４に示すように、指導後情報２３を入力するための入力ウインドウ６に表示された項目をチェックすることで実施することができる。
【００６７】
更に、具体的に説明すると、指導後情報２３の入力用の入力ウインドウ６の指導後情報入力欄２９の下方に、個々の学習単元Ｌにおいて規定される観点（例えば、主体性、情報活用、及び対人関係等）で分類される分類タグ３０がその横のチェックマーク欄３３とともに表示される（図４参照）。
【００６８】
そして、学習単元Ｌの内容及び指導後情報入力欄２９へ入力された指導後情報２３の内容に基づいて、週間指導計画表３の作成者または更新者（主に、教師等）がチェックマーク欄３３にチェックを入れることで分類タグ３０の付与が完了する。この分類タグ３０に係るデータ（タグデータ３２）は、指導後情報２３の中に含めた状態で指導後情報記憶手段１２に記憶及び保存することができる。その結果、年間指導計画表更新手段１３に基づいて当該タグデータ３２に係る情報を含めて年間指導計画表５の年間指導計画表データ２８が更新される。
【００６９】
更に、これらの付与された分類タグ３０に係るタグデータ３２に基づいて、指導後情報記憶手段１２、及び／または、集約表示手段１４によって、それぞれの学習単元Ｌに関連付けた記憶、及び、学習単元Ｌ等毎の集約に係る処理をそれぞれ実施することができる。すなわち、指導後情報２３を記憶するステップ、或いは、指導後情報２３を学習単元Ｌ毎等で集約するステップの少なくともいずれか一方のステップ（段階）で、分類タグ３０（タグデータ３２）に基づく抽出や集約等の処理を行うことができる。
【００７０】
これにより、指導後情報２３を記録した後に、事後的に当該指導後情報２３の内容を確認しようとした場合、学習指導の実施日時や記録日時等に限定されることなく、学習単元Ｌの内容が当該内容における観点等に基づいて検索を行うことができる。その結果、必要な情報を素早く抽出し、入手することができる。
【００７１】
これにより、指導後情報２３の効率的な抽出及び表示等が可能となる。更に、学習単元Ｌ同士等の関連性が高い指導後情報２３についても集約して表示することが可能となり、従来は見落としていた可能性の高い有益な内容についても容易に確認することができる。これにより、授業のやり方の改善に用いたり、次年度以降の年間指導計画表５等の作成時に有効に用いたりすることができる。
【００７２】
更に、編集用端末２の表示色変化手段１６は、指導後情報入力受付手段１１に基づいて指導後情報２３の入力を受け付けると、週間指導計画表３の交差枠２２の中に表示された教科ＳＢ、学習単元Ｌ、及び学習内容ＬＣ等を示す文字の文字色及び／または当該文字の  背景の背景色の少なくともいずれか一方の表示色を変化させることができる。
【００７３】
これにより、週間指導計画表３において計画された実施予定の学習単元Ｌまたは学習内容ＬＣ等の実施状況を色の違いによって容易に把握することができる。すなわち、従来の文字のみや数字等による進捗状況の確認と比べ、より進捗状況の把握が容易となる。その結果、どの単元がどこまで進捗しているか等の確認を、視覚を通じて容易に行うことができ、進捗状況の遅れの認識が明らかになるとともに、学習単元Ｌの実施忘れ等の問題を解消することができる。なお、図２において、背景色の変更をハッチングによって示している。なお、表示色変化手段１６は、計画表編集手段１０の週間編集機能ＷＥ等の一部機能を用いて実行される。
【００７４】
また、編集用端末の進捗表表示手段１７は、週間指導計画表３に並設して各学習単元Ｌの進捗状況を数値等で表す進捗表４を表示するためのものである。具体的に説明すると、図２に示すように、進捗表４は、週間指導計画表３の左横に縦長表示されたものであり、進捗状況を表す教科ＳＢ、学習単元Ｌの内容、学習単元Ｌの時限回数及び当該学習単元Ｌの総時限数が表示されている。なお、図２に示した進捗表４は一例であり、これに限定されるものではない。
【００７５】
なお、進捗表４における学習単元Ｌの時限回数及び総時限数は、それぞれ予定及び実施済が表示色を異なるようにして表示されている（なお、図２において表示色の違いをハッチングの違いで表している）。ここで、進捗表４に表示される進捗状況のデータは、隣接して表示された週間指導計画表３の週間指導計画表データ２７と連動している。また、進捗表４に表示される学習単元L及びその時限回数は、年間指導計画表データ２８と連動している。
【００７６】
すなわち、週間指導計画表３に学習単元Lが入力されることで、交差枠２２に対応する授業時限が予定されたことになる。また、週間指導計画表３に基づいて各教科ＳＢについての学習指導が実施され、上述した指導後情報２３等が入力されることで、交差枠２２に対応する授業時限が実施されたことになる。このような状態の変化が上述した表示色変化手段１６によって視覚的に容易に把握可能に示されるとともに、当該週間指導計画表データ２７の更新が行われ、これに基づいて進捗表４を表示するための進捗表データ３１も更新される。その結果、進捗表４を確認することで進捗状況を、視覚を通じて明確、かつ容易に確認することができる。これにより、学習単元Ｌの計画忘れや実施忘れ等の問題を解消することができる。
【００７７】
加えて、本実施形態の支援システム１における編集用端末２は、週間指導計画表３の交差枠２２の中を更に複数に分割して表示する分割表示手段１８と、分割された交差枠２２の中の分割表示幅の比率に応じて、実施予定または実施済の教科ＳＢの授業時数を算出する授業時数算出手段１９とを更に具備している。すなわち、基本的には１時限（１授業時間）に一つの教科ＳＢの学習指導を行うことが原則である。しかしながら、１時限を２つまたは３つ等に分割し、複数の教科ＳＢを実施することがある。そのため、交差枠２２の中を更に複数に分割して表示する分割表示手段１８が設けられる。
【００７８】
これにより、例えば、図２における“１月２１日（月）の５時限”のように、算数及び国語の二つの教科ＳＢの実施予定を表示することができる。更に、教科ＳＢ毎の分割表示幅の比率に応じて、当該教科ＳＢの授業時数を算出することができる。なお、図２の場合、算数及び国語の分割表示幅が等しいため、授業時数はそれぞれ“０．５”として算出される。
【００７９】
なお、上記分割表示手段１８は、計画表編集手段１０の週間編集機能ＷＥ等の一部機能を用いて実行される。従来の紙ベースの週案簿の場合、仮に二つの教科を記入した場合でも、それぞれの教科の授業時数を正確にカウントすることができないことがあった。或いは、既存の授業案立案支援システム等の場合であっても、教科の表示幅と授業時間数の比率を完全に一致させることができず、改めて授業時数を再確認する必要があった。
【００８０】
そのため、正確な授業時数をカウントすることができず、当該教科の授業時数の実施が遅れていることが明確に理解できず、事後的に進捗の遅れを把握する可能性があった。本実施形態の支援システム１の場合、分割表示幅の比率と授業時数との対応が正確なため、週間指導計画表３及び年間指導計画表５のいずれにおいても進捗状況を正確に把握することができる。なお、それぞれ分割して表示された教科名の欄をクリックすることで、当該教科の情報である学習単元Lや「めあて」などの表示を切り替えることができる。
【００８１】
更に、編集用端末２は、作成された週間指導計画表３に基づいて、一日に相当する簡易指導計画表８を作成し、表示する簡易指導計画表表示手段２０を備えている。簡易指導計画表８は、例えば、図６に示すように、一日分の学習指導に係る計画を示すものであり、既に作成された週間指導計画表３の週間時間軸ＴＬ１の中から一日分（例えば、当日分）を抽出したものである。
【００８２】
簡易指導計画表８は、前述した教育情報総合管理ソフトウェアＭＰＧの一機能として構成された簡易指導計画表表示プログラムＳＰＧを起動することで表示される。なお、簡易指導計画表表示プログラムＳＰＧのみから構成される単機能のプログラム（所謂「ウィジェット」）として起動するものであっても構わない。なお、簡易指導計画表８を表示するための簡易指導計画表データ３４は、本実施形態の支援システム１においては、端末記憶手段２１に記憶された上記簡易指導計画表表示プログラムＳＰＧの中に保存されている。
【００８３】
これにより、教育情報総合管理ソフトウェア或いは支援プログラムＰＧを起動し、週間指導計画表３を表示させるために何度かのクリック操作を行うような複雑な操作を行う必要はなく、一回のクリック操作で容易に簡易指導計画表８を画面表示させることができる。その結果、簡易指導計画表８へのアクセス操作が容易となり、日々使用する教師にとっての高い利便性を有するものとなる。なお、上記クリック操作によって簡易指導計画表表示プログラムＳＰＧを起動するものに限定されず、例えば、通常のパーソナルコンピュータを編集用端末２として使用する場合、編集用端末２の起動操作時に、自動的に簡易指導計画表表示プログラムＳＰＧを起動するような処理（所謂、「スタートアップ処理」）を行うものであっても構わない。
【００８４】
更に、簡易指導計画表８は、週間指導計画表３及び年間指導計画表５とそれぞれ各データを連携して形成されている。すなわち、週間指導計画表データ２７、年間指導計画表データ２８、及び簡易指導計画表データ３４は、相互に各種データを更新可能に形成されている。そのため、簡易指導計画表８を画面表示させた状態で、所定の位置（例えば、学習単元Ｌの表示箇所）クリックすることで、予め説明した図４等の指導後情報２３の入力ウインドウ６を広くことができるものであっても構わない。これにより、簡易指導計画表８を介して、既に述べた指導後情報２３等の入力を行ったり、その他必要な修正等を行う編集機能ＷＥ，ＹＥ等を機能させたりすることができる。
【００８５】
上記に詳細に説明したように、本実施形態の支援システム１は、二つの性質の異なる指導計画表３，５の作成及び編集に係る編集機能ＷＥ，ＹＥをそれぞれ有するとともに、画面表示された週間指導計画表３の入力ウインドウ６を通じて入力を受け付けた指導後情報２３を記録し、複数の指導後情報２３を学習単元Ｌ等の従来とは異なる手法の分類をすることで、事後的に活用しやすい有用な情報として集約表示することができる。
【００８６】
更に、進捗状況を文字色や背景色を変えて表示するなど、従来の文字情報（数字情報）のみによる理解に比べ、一目で進捗状況を把握することができる。すなわち、画面表示された情報を、視覚的に容易に把握することができる。更に、１コマ（１授業時数）に複数の教科を分割し、分割幅に応じて実施予定（または実施済み）の授業時数を算出したり、簡易指導計画表８を表示したりするなどの、種々の学習計画を支援する機能を発揮することができる。これにより、小学校や中学校等における一年間または一週間を通じての学習単元の実施状況を把握することができる。
【産業上の利用可能性】
【００８７】
本発明の支援システム、及び支援プログラムは、小学校や中学校において作成される年間指導計画表及び週間指導計画表に基づく学習計画の支援のために利用することができる。
【符号の説明】
【００８８】
１：支援システム（学習計画支援システム）、２：編集用端末、３：週間指導計画表、４：進捗表、５：年間指導計画表、６：入力ウインドウ、７：集約表示ウインドウ、８：簡易指導計画表、１０：計画表編集手段、１１：指導後情報入力受付手段、１２：指導後情報記憶手段、１３：年間指導計画表更新手段、１４：集約表示手段、１５：タグ付与手段、１６：表示色変化手段、１７：進捗表表示手段、１８：分割表示手段、１９：授業時数算出手段、２０：簡易指導計画表表示手段、２１：端末記憶手段、２２：交差枠、２２ａ：上段部、２２ｂ：中段部、２２ｃ：下段部、２３：指導後情報、２４：入力用アイコン、２５：週間まとめ欄、２６：表示領域、２７：週間指導計画表データ、２８：年間指導計画表データ、２９：指導後情報入力欄、３０：分類タグ、３１：進捗表データ、３２：タグデータ、３３：チェックマーク欄、３４：簡易指導計画表データ、Ｃ１：授業時間軸、ＩＤ：操作入力機器、Ｌ：学習単元、ＬＣ：学習内容、ＬＣＤ：液晶ディスプレイ、ＭＰＧ：教育情報総合管理ソフトウェア、ＰＧ：支援プログラム（学習計画支援プログラム）ＳＢ：教科、ＳＰＧ：簡易指導計画表表示プログラム、ＴＬ１：週間時間軸（時間軸）、ＴＬ２：年間時間軸（時間軸）、ＷＥ：週間編集機能、ＹＥ：年間編集機能。
【図１】
2020135447.tif 000003
【図２】
2020135447.tif 000004
【図３】
2020135447.tif 000005
【図４】
2020135447.tif 000006
【図５】
2020135447.tif 000007
【図６】
2020135447.tif 000008